(57)【要約】  電気的な差込み接続部１０では、先行型の接地接続３４がばね部材２４ａを介して形成されるようにした。
2014513391.tif 000002
【特許請求の範囲】
【請求項１】
相補的な差込みコネクタ（１４）と接続する差込みコネクタ（１２）であって、
前記相補的な差込みコネクタ（１４）の電気的なコンタクトエレメント（３６，３６ａ）と接続する少なくとも１つの電気的なコンタクトエレメント（２０，２０ａ）を備え、
前記差込みコネクタ（１２）は、ばね部材（２４ａ）を有し、該ばね部材（２４ａ）は、前記差込みコネクタ（１２）の接地線路（２２）に電気的に接続されており、かつ
前記差込みコネクタ（１２）は、該差込みコネクタ（１２）と前記相補的な差込みコネクタ（１４）との接続時に、前記差込みコネクタ（１２）の電気的なコンタクトエレメント（２０，２０ａ）が前記相補的な差込みコネクタ（１４）の電気的なコンタクトエレメント（３６，３６ａ）と接触する前に、前記ばね部材（２４ａ）が前記相補的な差込みコネクタ（１４）の接地コンタクトエレメント（４０）と電気的に接触するように形成されていることを特徴とする、差込みコネクタ。
【請求項２】
前記差込みコネクタは、前記少なくとも１つの電気的なコンタクトエレメント（２０）が導体路として設けられているプリント基板（１６）を有する、請求項１記載の差込みコネクタ。
【請求項３】
前記差込みコネクタは、前記少なくとも１つの電気的なコンタクトエレメント（２０）を包囲するスリーブ（１８）を有する、請求項１又は２記載の差込みコネクタ。
【請求項４】
前記ばね部材（２４ａ）は、前記スリーブ（１８）の内壁に取り付けられている、請求項３記載の差込みコネクタ。
【請求項５】
前記差込みコネクタは、プラグを有し、
前記ばね部材は、前記相補的な差込みコネクタの、該相補的な差込みコネクタの接地線路に接続されている接地コンタクトエレメントと電気的に接触するために形成されており、該接地コンタクトエレメントは、前記相補的な差込みコネクタのスリーブの内壁に取り付けられている、請求項１又は２記載の差込みコネクタ。
【請求項６】
さらに、前記相補的な差込みコネクタ（１４）の接地コンタクトエレメント（３６）と接続する接地コンタクトエレメント（２０）を備え、
前記ばね部材（２４ａ）は、前記相補的な差込みコネクタ（１４）の接地コンタクトエレメント（３６）に前記差込みコネクタ（１２）の接地コンタクトエレメント（３６）を圧着させる圧着ばねを有する、請求項１から５までのいずれか１項記載の差込みコネクタ。
【請求項７】
前記差込みコネクタは、前記ばね部材（２４ａ）が、前記差込みコネクタと前記相補的な差込みコネクタとの差し合わせ中にのみ、前記相補的な差込みコネクタの接地コンタクトエレメント（３６）と電気的に接触するように形成されている、請求項１から６までのいずれか１項記載の差込みコネクタ。
【請求項８】
さらに、前記相補的な差込みコネクタ（１４）の相補的な接地コンタクトエレメント（３６）と接続する接地コンタクトエレメント（２０）を備え、
前記差込みコネクタ（１２）は、前記ばね部材（２４ａ）が前記接地コンタクトエレメント（３６）と接触した後に、前記接地コンタクトエレメント（２０）が前記相補的なコンタクトエレメント（３６）と接触するように形成されている、請求項１から７までのいずれか１項記載の差込みコネクタ。
【請求項９】
差込み接続部（１０，１０′）であって、
請求項１から８までのいずれか１項記載の差込みコネクタ（１２）と、
相補的な差込みコネクタ（１４）と、
を備えることを特徴とする、差込み接続部。
【請求項１０】
差込みコネクタ（１２）を相補的な差込みコネクタ（１４）に接続する方法であって、
前記差込みコネクタの接地線路（２２）に接続されているばね部材（２４ａ）と前記相補的な差込みコネクタの接地コンタクトエレメント（３６）とを電気的に接触させるステップと、
続いて、前記差込みコネクタの少なくとも１つの電気的なコンタクトエレメント（２０，２０ａ）と前記相補的な差込みコネクタの相補的な電気的なコンタクトエレメント（３６，３６ａ）とを電気的に接触させるステップと、
を有することを特徴とする、差込みコネクタを相補的な差込みコネクタに接続する方法。
【発明の詳細な説明】
【技術分野】
【０００１】
本発明は、電気的な差込みコネクタ、電気的な差込み接続部、及び差込みコネクタを相補的な差込みコネクタに接続する方法に関する。
【０００２】
従来技術
電気的な差込み接続部は、一般に、差し合わされる２つの電気的な差込みコネクタを有しており、これにより、一方の差込みコネクタの電気的なコンタクトエレメントと、他方の差込みコネクタの電気的なコンタクトエレメントとの間で電気的な接続を形成する。通常、一方の電気的な差込みコネクタは、プラグ又はソケットとして、そして他方の電気的な差込みコネクタは、これに対して相補的なソケット又はプラグとして形成されている。その際、ソケットとは、プラグを収容するために形成された開口部又は中空室を有する差込みコネクタと解される。
【０００３】
電子部品同士を接続するために使用されるか、又は電子部品をエネルギ供給部に接続するために使用される電気的な差込みコネクタにおいて、接地コンタクトを「先行型の接地コンタクト（ｖｏｒａｕｓｅｉｌｅｎｄｅｒ  Ｍａｓｓｅｋｏｎｔａｋｔ）」として形成することが公知である。その際、接地コンタクトは、一般に０Ｖの接地電位に接続されている２つのコンタクトエレメント間あるいは接地電位を導くべき２つの線路間の電気的なコンタクトである。その際、先行型の接地コンタクトは、差込みコネクタを差し合わせたとき、差込み接続部の他の電気的なコンタクトエレメントが互いに接触する前に、電気的な接地接続を形成するように形成されている。こうして、電子回路が、接地電位に接続される前に電圧に曝される事態は、回避可能である。これにより、差込み接続が形成され、線路に既に電圧が供給されたときの電子回路の損傷は、回避可能である。
【０００４】
先行型の接地コンタクトのために、従来技術において種々異なる解決手段が公知である。例えば、一方の差込みコネクタは、ピン、すなわち導電性の材料からなる棒をコンタクトエレメントとして有し、他方の差込みコネクタは、ピンのための相補的な受容部を有している。先行する接地ピンは、接地ピンが他のピンより長く形成されていることにより形成され、この接地ピンのための受容部は、延長されているか、又はこの受容部の前縁が他の受容部の前縁よりも突出するように他の受容部に対してずらされている。
【０００５】
一方の差込みコネクタが、プリント基板であって、この上に電気的なコンタクトエレメントが導体路、すなわち「ランド」として形成されているプリント基板を有する差込み接続部の場合、先行型の接地コンタクトを、接地電位に接続されるランドを他の電気的なコンタクトのためのランドよりも差込み方向で突出させて形成することも公知である。
【０００６】
発明の開示
すべての上述の解決手段は、差込み接続部を使用する既存のプロジェクトの装備変更時に手間を要して装備変更しなければならないという欠点を有している。
【０００７】
一般に、先行型の接地コンタクトを実現する特別なコンタクトあるいは特別なコンタクトエレメント、例えばピン、受容部又はランドも必要である。相応のコンタクトエレメントは、他の電気的なコンタクトエレメントとは異なるので、差し合わせたときに、残りのコンタクトエレメントとは異なる機械的負荷に曝されている。このことは、先行型の接地コンタクトの摩耗を促進してしまう恐れがある。
【０００８】
また、接地コンタクトエレメントの延長は、差込み接続部あるいは該当する差込みコネクタにおいて、差込み方向での構成スペースの拡大を招く。
【０００９】
さらに、プリント基板を有する差込み接続部の場合、差込み接続部を差し合わせたときに、先行型に形成されていない電気的なコンタクトの損傷を招く恐れがある。それというのも、プリント基板の前縁が、これらのコンタクトの場合、先行型の接地ランドと比較してランド前縁から遠く離れているからである。
【００１０】
それゆえ本発明の課題は、接地コンタクトを高い摩耗に曝すことがなく、また差込み接続部の差込み方向の構成スペースを拡大することがない、先行型の接地コンタクトが設けられた電気的な差込み接続部を提供することである。
【００１１】
この課題は、独立請求項の対象により解決される。
【００１２】
本発明の第１の観点は、相補的な電気的な差込みコネクタと接続する電気的な差込みコネクタに関する。その際、差込みコネクタは、プラグであっても、ソケットであってもよく、電気的なコンタクトエレメントとしてピンを有していても、ピンのための受容部を有していてもよい。また、差込みコネクタは、電気的なコンタクトエレメントを導体路として有するプリント基板を有していても、プリント基板のランドと接触するために形成されたクランプを有していてもよい。
【００１３】
全体として、差込みコネクタは、相補的な差込みコネクタの電気的なコンタクトエレメントと接続する複数の電気的なコンタクトエレメントを有していることが可能である。これらの電気的なコンタクトエレメントは、一般に、すべて同じに形成されている。例えば等長のピン、若しくはピンのための等長あるいは同じに形成された受容部、又はプリント基板上に同じに形成されたランドを有している。
【００１４】
本発明の一態様において、差込みコネクタは、ばね部材を有し、ばね部材は、差込みコネクタの接地線路に電気的に接続されている。その際、差込みコネクタは、一般に両差込みコネクタの相互の嵌合又は差し合わせにより実施される差込みコネクタと相補的な差込みコネクタとの接続時に、ばね部材が相補的な差込みコネクタの接地コンタクトエレメントと電気的に接触するように形成されている。反対に相補的な差込みコネクタは、接地線路に電気的に接続されているとともに、差込み接続部の差し合わせあるいは接続時にばね部材と接触可能であるように形成されているコンタクトエレメントを有していることができる。その際、ばね部材と、相補的な差込みコネクタの接地コンタクトエレメントとの接触は、差込みコネクタの他の電気的なコンタクトエレメントが相補的な差込みコネクタの対応する電気的なコンタクトエレメントと接触する前に実施される。こうして、ばね部材と、相補的な差込みコネクタの接地コンタクトエレメントとを介して、差込み接続部の他の電気的な接触が形成される前に、接地接続が形成される。
【００１５】
その際、接地線路とは、対応する電圧源に接続されているとき、あるいはエネルギ供給がＯｎにされているときに、接地電位を有する線路と解すべきである。
【００１６】
接地コンタクトを形成するためにばね部材を使用することは、差込みコネクタのために延長されたコンタクトエレメントが使用されずに済むという利点を有する。これにより、構成スペースは削減可能である。さらに、ばね部材の機械的負荷は、ばね部材が容易に弾発可能かつ変形可能であるため、剛体の電気的なコンタクトエレメントの場合ほど大きくない。これにより、差込みコネクタの先行する接地接続が損傷を被る危険は低減され、差込みコネクタの機械的な摩耗は低減される。
【００１７】
本発明の一態様において、電気的なコンタクトエレメントは、差込みコネクタの構成要素であるプリント基板上の導体路として設けられている。特に、このように形成された差込みコネクタの場合、電気的なコンタクトエレメントはすべて、同じに形成可能である。このことは、差込みコネクタを対応する差込みコネクタに差し合わせたとき、電気的なコンタクトエレメントがすべて同じ強さの機械的負荷を受けることにつながる。このことは、摩耗を均等化する。
【００１８】
本発明の一態様において、差込みコネクタの電気的なコンタクトエレメントは、スリーブにより包囲される。換言すれば、差込みコネクタは、ソケットを有していてもよい。この種の差込みコネクタの場合、ばね部材は、スリーブの内面に取り付け可能である。その結果、電気的なコンタクトエレメントだけでなく、ばね部材も、差込みコネクタが他の構成要素、すなわち差込み接続部のプラグに接続されていないとき、スリーブによって保護される。
【００１９】
本発明の一態様において、択一的には、差込みコネクタが、プラグを有すること、すなわち対応するソケットに差し込まれるように形成されていることも可能である。この場合、ばね部材は、例えばプラグから外方に、例えば差込み方向に対して直交する方向で突出していることができる。この場合、相補的な差込みコネクタは、相補的な差込みコネクタの接地線路に接続されている接地コンタクトエレメントを有し、この接地コンタクトエレメントは、相補的な差込みコネクタのスリーブの内壁に取り付けられていることができる。ばね部材をソケット内ではなく、プラグに取り付けたことは、例えば、ソケットが可及的単純に形成されていることが望ましいとき、好適である。
【００２０】
本発明の一態様において、差込みコネクタは、ばね部材の他に付加的に、相補的な差込みコネクタの接地コンタクトエレメントに接続する接地コンタクトエレメントを有していてもよい。例えばこの接地コンタクトエレメントは、差込みコネクタの他の電気的なコンタクトエレメントと同様に形成され、それにもかかわらず、ばね部材によって、先行する接地接続が形成され得る。付加的な接地コンタクトエレメントは、接地コンタクトを形成するばね部材が、差し合わせ中にのみ、差込みコネクタ及び相補的な差込みコネクタの両接地線路間の電気的な接続を形成すればよいという利点を有する。差込みコネクタが相補的な差込みコネクタ内に完全に差し込まれているか、あるいはこれに接続されているときは、付加的な接地コンタクトエレメントによって、ばね部材に対して付加的に又は択一的に、接地接続が実施可能である。
【００２１】
本発明の一態様において、ばね部材は、相補的な差込みコネクタの接地コンタクトエレメントに差込みコネクタの接地コンタクトエレメントを圧着させる圧着ばねを有する。こうして、差込みコネクタが、接地接続を形成するための付加的なばね部材を有することは不要である。この目的のためには、単に、既存の圧着ばねを利用すればよい。
【００２２】
例えば差込みコネクタは、プリント基板へのインターフェースであってもよく、プリント基板は、電子的なコンポーネントを有していることができ、導体路としての電気的なコンタクトエレメントをプリント基板の縁部に有している。この種のインターフェースは、例えばプラスチックから製造され、プリント基板の縁部に取り付けられ、かつ電気的なコンタクトエレメント、すなわちランドを包囲しているスリーブを有していてもよい。この種のインターフェースは、一般に、各電気的なコンタクトエレメントのために少なくとも１つのばね部材を有する。ばね部材は、インターフェース内に差し込まれたプラグの電気的なコンタクトエレメントをプリント基板のランドに押し付けるために役立つ。圧着部材は、例えば差込み方向に対して直交する方向で内壁から突出している。プラグは、一般にケーブルハーネスに接続されている。ケーブルハーネスは、プリント基板上の電子回路を別の構成素子に接続する。
【００２３】
電気伝導性の圧着ばねは、今や、インターフェースの接地コンタクトエレメントのために、プリント基板の接地電位あるいはインターフェースの接地電位に接続可能である。他方、プラグの電気的なコンタクトエレメントのキャリアの、プラグがインターフェースに差し込まれているときに圧着ばねが圧着する箇所に、プラグの接地線路に接続されている電気的なコンタクトエレメントを設けることができる。ばね部材は、今や、プラグをインターフェース内に挿入するときに、プラグの他の電気的なコンタクトエレメントがプリント基板上のコンタクトエレメント、すなわち例えばランドに接触する前に、圧着ばねとプラグの接地コンタクトエレメントとの間の接触が実施されるような、インターフェース内の箇所に取り付け可能である。こうして、上述の問題が生じることなく、先行する接地接続が形成される。
【００２４】
また、この種の構造は、差込み接続部のＥＭＣ遮蔽（すなわち電磁シールド）が改善されるという付加的な利点も有している。それというのも、少なくとも接地電位部は、接地電位にある導電性のばね部材により遮蔽されるからである。
【００２５】
プリント基板のためのインターフェースとプラグとからなる上述のアッセンブリにおいて、本発明の原理は、導電性のばね部材がプラグ側に取り付けられているときにも使用可能である。この場合、接地コンタクトエレメントは、インターフェースに設けられていてよく、例えば剛体のコンタクトエレメントが、スリーブを射出成形する際に、インターフェースのカラー壁内、すなわちスリーブの内面に埋設されていてよい。
【００２６】
概して、ばね部材を介した先行して行われる接地接続は、２つの電気的なコンタクトエレメント間、例えばコンタクトキャリアとインターフェースの電気的な導体路との間の圧着部材が既に存在していれば、常に可能である。この種の圧着部材は、一般に金属からなり、これにより導電性である。
【００２７】
しかしながら、ばね部材が圧着部材ではなく、別途取り付けられたばね部材であることも可能である。これは、例えばインターフェースのカラーの射出成形時にカラーに埋設され、ケーブルハーネスプラグに設けられた接地コンタクトエレメントと接触可能なばね部材であることができる。
【００２８】
本発明の別の観点は、上で説明し、下で説明するような差込みコネクタと相補的な差込みコネクタとを備えた差込み接続部にも関する。
【００２９】
本発明のさらに別の観点は、差込みコネクタを相補的な差込みコネクタに接続する方法に関する。その際、差込みコネクタと相補的な差込みコネクタとは、やはり、上で説明し、下で説明するような差込みコネクタであることができる。
【００３０】
本発明の一態様において、本発明に係る方法は、差込みコネクタの接地線路に接続されているばね部材と、相補的な差込みコネクタの接地コンタクトエレメントとを電気的に接触させるステップと、続いて、差込みコネクタの少なくとも１つの電気的なコンタクトエレメントと、相補的な差込みコネクタの相補的な電気的なコンタクトエレメントとを電気的に接触させるステップとを有する。換言すれば、一般に差込みコネクタの他の電気的なコンタクトエレメントと同様に形成されている剛体の接地コンタクトエレメントではなく、ばね部材を介した先行する接地接続の形成が実施される。その際、差込みコネクタは、方法ステップが一方の差込みコネクタを他方の差込みコネクタに差し込む際に実施されるように形成されていると解すべきである。
【００３１】
以下に、添付の図面を参照しながら本発明の実施の形態を詳細に説明する。
【図面の簡単な説明】
【００３２】
【図１Ａ】本発明の第１の実施の形態に係る差込み接続部を切断位置で示す図である。
【図１Ｂ】図１Ａに示した実施の形態に係る差込み接続部を接続位置で示す図である。
【図２Ａ】本発明の第２の実施の形態に係る差込み接続部を切断位置で示す図である。
【図２Ｂ】図２Ａに示した実施の形態に係る差込み接続部を中間位置で示す図である。
【図２Ｃ】図２Ａ及び図２Ｂに示した実施の形態に係る差込み接続部を接続位置で示す図である。
【００３３】
実施の形態の詳細な説明
図１Ａは、差込み接続部１０の縦断面図である。差込み接続部１０は、ソケット１２及びプラグ１４を有している。ソケット１２は、プリント基板１６のためのインターフェースである。プリント基板１６の縁部には、スリーブ１８が取り付けられており、プリント基板１６の縁部を囲繞している。プリント基板１６上には、導体路２０の形態の電気的なコンタクトエレメント２０が存在している。導体路２０は、プリント基板１６上の、概略的に示した接地電位部２２に接続されている。スリーブ１８の内面あるいはインターフェースのカラー壁には、それぞれ、プリント基板１６の上下に、第１の導電性のばね部材２４ａ及び第２の導電性のばね部材２４ｂが取り付けられている。ばね部材２４ａ，２４ｂは、例えば金属帯材からなる板ばねであってよい。図１Ａに概略的に示したように、両ばね部材２４ａ，２４ｂは、線路２６を介して接地電位部２２に接続されている。しかし、下側のばね部材２４ｂ及び上側のばね部材２４ａのいずれか一方のみが接地電位部２２に接続されているようにしてもよい。
【００３４】
さらにスリーブ１８は、スリーブ１８の外面に突起２８を有している。突起２８には、プラグ１４に設けられた対応するクランプ部材３０が、突起２８の、差込み方向で見て背面に回り込むような形で係合して、プラグ１４をソケット１２に固定することができる。
【００３５】
プラグ１４は、ケーブルハーネス３２に接続されている。ケーブルハーネス３２は、接地電位部２２に接続すべき線路３４を有している。換言すれば、線路３４は、ケーブルハーネス３２あるいはプラグ１４の接地線路である。さらにプラグ１４は、コンタクトキャリア３６を有し、コンタクトキャリア３６は、電気的なコンタクトエレメント３８を有している。コンタクトエレメント３８は、両差込みコネクタ１２，１４の差し合わせ後、導体路２０と接触すべきである。例えばコンタクトキャリア３６は、完全に金属からなっていて、電気的な線路３４に接続されるようになっていてもよいし、又はプラスチックからなっていて、コンタクトキャリア３６の成形中にこのプラスチック内に、電気的に線路３４に接続されている電気的なコンタクトエレメント３８が埋設されるようになっていてもよい。
【００３６】
コンタクトキャリア３６は、コンタクトキャリア３６の上面に突出部４０を有している。突出部４０は、導電性であり、接地線路３４にも接続されていている。この突出部４０も、コンタクトキャリア３６がプラスチックからなっている場合、コンタクトキャリア３６の成形中にこのプラスチック内に埋設されるようになっていてもよい。
【００３７】
図１Ｂは、プラグ１４をソケット１２内に完全に挿入することによって、差し合わされた状態にある差込み接続部１０を示している。このとき、図１Ｂから看取されるように、クランプ３０は、ソケット１２の縁部に設けられた突起２８の背面に回り込んで、ソケット１２からのプラグ１４の抜けを防止する。さらにばね部材２４ｂが、下方からプラグ１４を押圧する一方、ばね部材２４ａは、上方からコンタクトキャリア３６、特に突出部４０を押圧する。これにより、一方では、線路３４から突出部４０とばね部材２４ａとを介した接地電位部２２への電気的な接続が形成され、他方では、直接、線路３４から、ばね部材２４ａによって導体路２０に圧着されたコンタクトキャリア３６を介した電気的な接続が形成されている。
【００３８】
線路３４と、プリント基板１６上の接地電位部２２との間の電気的な接続は、図１Ｂに概略的に矢印４２で示してある。
【００３９】
その際、ばね部材２４ａは、プラグ１４とソケット１２とを差し合わせたときに、コンタクトキャリア３６と導体路２０との接触よりも先に突出部４０と接触するように、ソケット１２内に配置されている。
【００４０】
全体として、差込み接続部１０あるいはソケット１２及びプラグ１４が、図１Ａ及び図１Ｂの断面図に示すように、複数の電気的なコンタクトを有すると解すべきである。図１Ａ及び図１Ｂには、接地コンタクトのための電気的なコンタクトエレメントだけが示されている。図平面に関して、接地コンタクトのための電気的なコンタクトエレメントの手前又は奥に、さらに別の複数の、類似あるいは同一あるいは相似に形成されたコンタクトエレメントが、ソケット１２及びプラグ１４に存在している。これらの別のコンタクトエレメントにおいて、ばね部材２４ａ又はばね部材２４ｂは、対応する電気的な線路２２に接続されていない。まさにこれらの別の電気的なコンタクトエレメントのためには、コンタクトキャリア３６に相当するコンタクトキャリアは、導電性の突出部４０又は線路３４に相当する線路に接続されている突出部４０を有しない。
【００４１】
プラグ１４の別の電気的なコンタクトエレメント３６ａ及びソケット１２の別のコンタクトエレメント２０ａは、図１Ａに棒線で概略的に示してある。
【００４２】
このような配置としたことにより、プラグ１４とソケット１２とを差し合わせる際、まず、ばね部材２４ａと突出部４０との間の接地接続が、他の電気的な接触、例えば導体路２０とコンタクトキャリア３６との間の接触や、電気的な差込み接続部の相応の別の電気的なコンタクト３６ａ，２０ａ間の接触が実施される前に、行われることが達成される。
【００４３】
差込み接続部１０の、図１Ｂに示した終端位置において、接地接続が、ばねあるいはばね部材２４ａを介して実施されている。しかし、さらに付加的に、接地接続が、コンタクト３６，２０の所属のランド２０を介して実施されるか、あるいは別のコンタクト３６ａ，２０ａを介して実施されてもよい。
【００４４】
図２Ａ、図２Ｂ及び図２Ｃは、差込み接続部１０′の別の実施の形態を示している。本実施の形態に係る差込み接続部１０′のソケット１２及びプラグ１４は、図１Ａ及び図１Ｂに示した実施の形態と実質的に同一に形成されている。しかし、図２Ａ乃至図２Ｃに示した実施の形態の場合、突出部４０及びばね部材２４ａは、その接触をもって、一時的に先行して接地接続が行われるように配置されている。
【００４５】
図２Ａは、差込み接続部１０′、あるいは差込みコネクタ１２，１４からなる差込みシステム１０′を、差込みが直前に迫った位置で示してある。ばね部材２４ａも、導体路２０あるいはランド２０も、この第１のステップにおいては、コンタクトキャリア３６に接続されていない。
【００４６】
図２Ｂは、差込み接続部１０′を、図２Ａに示した位置と、図２Ｃに示した位置との間にあって、プラグ１４がまだ完全にはソケット１２に挿入されていない中間位置で示してある。この第２のステップにおいてばね２４ａは、既に突出部４０、ひいてはコンタクトキャリア３６と接触しているので、既にばね部材２４ａを介した接地接続が形成されている。しかし、導体路２０とコンタクトキャリア３６との接触は、まだ行われていない。ばね部材２４ａあるいは圧着ばね２４ａを介した接地接続は、図２Ｂに概略的に矢印４４で示してある。
【００４７】
差込み接続部１０′の、図２Ｂと図２Ｃとの間にある位置で実施される第３のステップにおいて、圧着ばね２４ａと突出部４０との間の接地接続が存在したまま、導体路２０とコンタクトキャリア３６との間の接触が実施される。その結果、同時に両方の接地接続が存在する。
【００４８】
プラグ１４を完全にソケット１２内に挿入した第４のステップにおいて、圧着ばねあるいはばね部材２４ａと突出部４０との間の電気的な接続は、解除され、コンタクトキャリア３６と導体路２０との間の接地接続は、維持されたままとなる。図２Ｃに示した位置で、プラグ１４はソケット１２内で終端位置に達している。その際、ばね部材２４ａは、もはや導電性の突出部４０ではなく、プラグ１４の絶縁部材４６を押圧している。コンタクトキャリア３６と導体路２０との間の接触を介したプリント基板１６上の接地電位部２２と線路３４との間の接地接続のみが、依然として存在している。このことは、図２Ｃに概略的に矢印４８により示してある。
【００４９】
説明した経過に対して択一的に、コンタクトエレメントは、圧着ばねあるいはばね部材２４ａによる接続が失われた後、接地コンタクトをも、その前に差込み接続部１０の別のコンタクトエレメントが既に接続され、この中に接地接続が存在しているのであれば、完全に放棄してしまうこともできる。それゆえ、プリント基板１６上の一時的なコンタクトのためのランド２０も不要である。コンタクトエレメントは、ばね部材２４ａとコンタクトキャリア３６との間の接地接続を形成するためだけに形成されている。この場合、このコンタクトエレメントの、先行して行われる接地接続は、完全に一時的なものと見なされる。先行して行われる接地接続は、差し合わせ中に一時的にのみ実施される。差し合わせ後、電気的な接触は存在しない。
【００５０】
図１Ａ及び図１Ｂに示した実施の形態とは異なり、差込み接続部１０′の接地接続は、図２Ｃに示した終端位置で、専らコンタクトキャリア３６と導体路２０との間の標準接続を介して実施される。このことは、先行する接地接続が永続的なものではなく、そのために動摩耗を受けずに済むという利点を有している。こうして、ばね部材２４ａにおけるコンタクト箇所は、永続的な接地接続に関して最適化される必要がない。これにより、ばね部材２４ａをコンタクトエレメントとして設計することは、回避可能である。ばね部材２４ａをコンタクトエレメントとして設計することは、手間あるいはコストがかかるだけでなく、場合によっては差込み接続部１０′をその動的な負荷容量に関して制限してしまう恐れがある。
【図１Ａ】
2014513391.tif 000003
【図１Ｂ】
2014513391.tif 000004
【図２Ａ】
2014513391.tif 000005
【図２Ｂ】
2014513391.tif 000006
【図２Ｃ】
2014513391.tif 000007
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
相補的な差込みコネクタ（１４）と接続する差込みコネクタ（１２）であって、
前記相補的な差込みコネクタ（１４）の電気的なコンタクトエレメント（３６，３６ａ）と接続する少なくとも１つの電気的なコンタクトエレメント（２０，２０ａ）を備え、
前記差込みコネクタ（１２）は、ばね部材（２４ａ）を有し、該ばね部材（２４ａ）は、前記差込みコネクタ（１２）の接地線路（２２）に電気的に接続されており、かつ
前記差込みコネクタ（１２）は、該差込みコネクタ（１２）と前記相補的な差込みコネクタ（１４）との接続時に、前記差込みコネクタ（１２）の電気的なコンタクトエレメント（２０，２０ａ）が前記相補的な差込みコネクタ（１４）の電気的なコンタクトエレメント（３６，３６ａ）と接触する前に、前記ばね部材（２４ａ）が前記相補的な差込みコネクタ（１４）の接地コンタクトエレメント（４０）と電気的に接触するように形成されていることを特徴とする、差込みコネクタ。
【請求項２】
前記差込みコネクタは、前記少なくとも１つの電気的なコンタクトエレメント（２０）が導体路として設けられているプリント基板（１６）を有する、請求項１記載の差込みコネクタ。
【請求項３】
前記差込みコネクタは、前記少なくとも１つの電気的なコンタクトエレメント（２０）を包囲するスリーブ（１８）を有する、請求項１又は２記載の差込みコネクタ。
【請求項４】
前記ばね部材（２４ａ）は、前記スリーブ（１８）の内壁に取り付けられている、請求項３記載の差込みコネクタ。
【請求項５】
前記差込みコネクタは、プラグを有し、
前記ばね部材は、前記相補的な差込みコネクタの、該相補的な差込みコネクタの接地線路に接続されている接地コンタクトエレメントと電気的に接触するために形成されており、該接地コンタクトエレメントは、前記相補的な差込みコネクタのスリーブの内壁に取り付けられている、請求項１又は２記載の差込みコネクタ。
【請求項６】
さらに、前記相補的な差込みコネクタ（１４）の接地コンタクトエレメント（３６）と接続する接地コンタクトエレメント（２０）を備え、
前記ばね部材（２４ａ）は、前記相補的な差込みコネクタ（１４）の接地コンタクトエレメント（３６）に前記差込みコネクタ（１２）の接地コンタクトエレメント（２０）を圧着させる圧着ばねを有する、請求項１から５までのいずれか１項記載の差込みコネクタ。
【請求項７】
前記差込みコネクタは、前記ばね部材（２４ａ）が、前記差込みコネクタと前記相補的な差込みコネクタとの差し合わせ中にのみ、前記相補的な差込みコネクタの接地コンタクトエレメント（３６）と電気的に接触するように形成されている、請求項１から６までのいずれか１項記載の差込みコネクタ。
【請求項８】
さらに、前記相補的な差込みコネクタ（１４）の接地コンタクトエレメント（３６）と接続する接地コンタクトエレメント（２０）を備え、
前記差込みコネクタ（１２）は、前記ばね部材（２４ａ）が前記相補的な差込みコネクタ（１４）の接地コンタクトエレメント（３６）と接触した後に、前記差込みコネクタ（１２）の接地コンタクトエレメント（２０）が前記相補的な差込みコネクタ（１４）の接地コンタクトエレメント（３６）と接触するように形成されている、請求項１から７までのいずれか１項記載の差込みコネクタ。
【請求項９】
差込み接続部（１０，１０′）であって、
請求項１から８までのいずれか１項記載の差込みコネクタ（１２）と、
相補的な差込みコネクタ（１４）と、
を備えることを特徴とする、差込み接続部。
【請求項１０】
差込みコネクタ（１２）を相補的な差込みコネクタ（１４）に接続する方法であって、
前記差込みコネクタの接地線路（２２）に接続されているばね部材（２４ａ）と前記相補的な差込みコネクタの接地コンタクトエレメント（３６）とを電気的に接触させるステップと、
続いて、前記差込みコネクタの少なくとも１つの電気的なコンタクトエレメント（２０，２０ａ）と前記相補的な差込みコネクタの相補的な電気的なコンタクトエレメント（３６，３６ａ）とを電気的に接触させるステップと、
を有することを特徴とする、差込みコネクタを相補的な差込みコネクタに接続する方法。
【国際調査報告】
2014513391.tif 000008
2014513391.tif 000009
2014513391.tif 000010
2014513391.tif 000011